(57)【要約】【課題】複雑な処理を行うことなく、複数の被制御装置が互いに異なる被制御側標識を表示し、また、制御装置が複数の制御側標識をそれぞれ対応する被制御装置に表示された被制御側標識に対応した態様で表示することができる制御装置を提供する。【解決手段】ディスプレイ２１と、制御側制御部と、を備え、制御側制御部は、互いに異なる特定情報が設定された複数のスピーカー装置１に対し、特定情報に応じて互いに異なる被制御側標識１０を表示させるトリガーとなる信号を送信し、スピーカー装置１ごとに、特定情報および特定情報に基づく情報の少なくとも一方が含まれる被制御装置情報を取得し、取得した複数の被制御装置情報に基づいて、複数のスピーカー装置１に対応した複数の制御側標識２０を、それぞれ対応するスピーカー装置１に表示された被制御側標識１０に対応した態様で、ディスプレイ２１に表示させる。【選択図】図７
2019041156.tif 000002
【特許請求の範囲】
【請求項１】
制御側表示部と、
制御側制御部と、を備え、
前記制御側制御部は、
互いに異なる特定情報が設定された複数の被制御装置に対し、前記特定情報に応じて互いに異なる被制御側標識を表示させるトリガーとなる信号を送信し、
前記被制御装置ごとに、前記特定情報および前記特定情報に基づく情報の少なくとも一方が含まれる被制御装置情報を取得し、
取得した複数の前記被制御装置情報に基づいて、複数の前記被制御装置に対応した複数の制御側標識を、それぞれ対応する前記被制御装置に表示された前記被制御側標識に対応した態様で、前記制御側表示部に表示させる
ことを特徴とする制御装置。
【請求項２】
複数の前記被制御側標識には、互いに色が異なるものが含まれることを特徴とする請求項１に記載の制御装置。
【請求項３】
複数の前記被制御側標識には、互いに点滅パターンが異なるものが含まれることを特徴とする請求項１に記載の制御装置。
【請求項４】
前記制御側制御部は、前記制御側標識と関連付けて、前記制御側標識に対応した前記被制御装置の機種名を意味する機種名表示を、前記制御側表示部に表示させることを特徴とする請求項１ないし３のいずれか一項に記載の制御装置。
【請求項５】
前記制御側制御部は、表示された複数の前記制御側標識を用いて複数の前記被制御装置から所望の前記被制御装置を選択する選択操作に基づいて、制御対象となる前記被制御装置を選択することを特徴とする請求項１ないし４のいずれか一項に記載の制御装置。
【請求項６】
前記制御側制御部は、前記選択操作に基づいて、前記被制御装置に対し、前記被制御側標識の表示を停止させる表示停止信号を送信することを特徴とする請求項５に記載の制御装置。
【請求項７】
前記被制御装置では、前記特定情報に基づいて、被制御側標識情報が取得され、取得された前記被制御側標識情報に基づいて、前記被制御側標識が表示され、
前記制御側制御部は、前記被制御装置から取得した前記被制御装置情報に含まれる前記特定情報に基づいて、前記被制御側標識情報と同じ内容の制御側標識情報を取得し、取得した前記制御側標識情報に基づいて、前記制御側表示部を制御することを特徴とする請求項１ないし６のいずれか一項に記載の制御装置。
【請求項８】
前記被制御装置では、前記特定情報に基づいて、被制御側標識情報が取得され、取得された前記被制御側標識情報に基づいて、前記被制御側標識が表示され、
前記被制御装置情報には、前記特定情報に基づく情報として、前記被制御側標識情報が含まれ、
前記制御側制御部は、前記被制御装置から取得した前記被制御装置情報に含まれる前記被制御側標識情報を制御側標識情報とし、前記制御側標識情報に基づいて、前記制御側表示部を制御することを特徴とする請求項１ないし６のいずれか一項に記載の制御装置。
【請求項９】
制御側表示部を備えた制御装置において、
互いに異なる特定情報が設定された複数の被制御装置に対し、前記特定情報に応じて互いに異なる被制御側標識を表示するトリガーとなる信号を送信するステップと、
前記被制御装置ごとに、前記被制御装置の前記特定情報および前記特定情報に基づく情報の少なくとも一方が含まれる被制御装置情報を取得するステップと、
取得した複数の前記被制御装置情報に基づいて、複数の前記被制御装置に対応した複数の制御側標識を、それぞれ対応する前記被制御装置に表示された前記被制御側標識に対応した態様で、前記制御側表示部に表示させるステップと、
を備えたことを特徴とする制御装置の制御方法。
【請求項１０】
制御側表示部を備えた制御装置のプロセッサーに、
互いに異なる特定情報が設定された複数の被制御装置に対し、前記特定情報に応じて互いに異なる被制御側標識を表示するトリガーとなる信号を送信するステップと、
前記被制御装置ごとに、前記被制御装置の前記特定情報および前記特定情報に基づく情報の少なくとも一方が含まれる被制御装置情報を取得するステップと、
取得した複数の前記被制御装置情報に基づいて、複数の前記被制御装置に対応した複数の制御側標識を、それぞれ対応する前記被制御装置に表示された前記被制御側標識に対応した態様で、前記制御側表示部に表示させるステップと、
を実行させることを特徴とするプログラム。
【請求項１１】
請求項１０に記載のプログラムを記憶した記憶媒体。
【請求項１２】
被制御側表示部と、
被制御側制御部と、を備え、
前記被制御側制御部は、
自装置の特定情報に基づいて、前記特定情報に応じた被制御側標識を前記被制御側表示部に表示させ、
制御装置に対し、前記特定情報および前記特定情報に基づく情報の少なくとも一方が含まれる被制御装置情報を供給する
ことを特徴とする被制御装置。
【請求項１３】
前記制御装置では、前記被制御装置から取得した前記被制御装置情報に含まれる前記特定情報に基づいて、制御側標識情報が取得され、取得された前記制御側標識情報に基づいて、制御側標識が表示され、
前記被制御側制御部は、前記特定情報に基づいて、前記制御側標識情報と同じ内容の被制御側標識情報を取得し、取得した前記被制御側標識情報に基づいて、前記被制御側表示部を制御することを特徴とする請求項１２に記載の被制御装置。
【発明の詳細な説明】
【技術分野】
【０００１】
本発明は、複数の被制御装置を制御する制御装置、制御装置の制御方法、プログラム、記憶媒体および被制御装置に関するものである。
【背景技術】
【０００２】
従来、特許文献１が開示するように、制御装置と、複数の被制御装置とを備えた制御システム（遠隔操作システム）が知られている。この制御システムでは、制御装置が、複数の被制御装置に互いに異なる被制御側標識（アイコン）を表示させる。また、制御装置が、各被制御装置から受信した複数の報知情報に基づいて、複数の被制御装置に対応した複数の制御側標識（アイコン）を、それぞれ対応する被制御装置に表示された被制御側標識と同じ態様で制御側表示部に表示する。なお、本段落において、括弧内の文言は、特許文献１における名称を示す。
【０００３】
この制御システムでは、複数の被制御装置のなかに、同じ被制御側標識が設定された被制御装置が２つ以上存在し得ることが前提となっている。このため、制御装置は、各被制御装置から受信した複数の報知情報に基づいて、同じ被制御側標識が設定された被制御装置が２つ以上存在するか否かを判断し、２つ以上存在すると判断した場合には、それらの被制御装置の少なくとも一の被制御装置に対して、別の被制御側標識を設定するように指示する修正処理を行う。この修正処理より、複数の被制御装置が互いに異なる被制御側標識を表示することができ、また、制御装置が複数の制御側標識をそれぞれ対応する被制御装置に表示された被制御側標識と同じ態様で表示することができる。
【先行技術文献】
【特許文献】
【０００４】
【特許文献１】特開２０１３−１３５３９３号公報
【発明の概要】
【発明が解決しようとする課題】
【０００５】
従来の制御装置においては、複数の被制御装置が互いに異なる被制御側標識を表示し、また、制御装置が複数の制御側標識をそれぞれ対応する被制御装置に表示された被制御側標識に対応した態様で表示するためには、上記の修正処理のような複雑な処理を行う必要がある。
【０００６】
本発明は、複雑な処理を行うことなく、複数の被制御装置が互いに異なる被制御側標識を表示し、また、制御装置が複数の制御側標識をそれぞれ対応する被制御装置に表示された被制御側標識に対応した態様で表示することができる制御装置、制御装置の制御方法、プログラム、記憶媒体および被制御装置を提供することを課題としている。
【課題を解決するための手段】
【０００７】
本発明の制御装置は、制御側表示部と、制御側制御部と、を備え、制御側制御部は、互いに異なる特定情報が設定された複数の被制御装置に対し、特定情報に応じて互いに異なる被制御側標識を表示させるトリガーとなる信号を送信し、被制御装置ごとに、特定情報および特定情報に基づく情報の少なくとも一方が含まれる被制御装置情報を取得し、取得した複数の被制御装置情報に基づいて、複数の被制御装置に対応した複数の制御側標識を、それぞれ対応する被制御装置に表示された被制御側標識に対応した態様で、制御側表示部に表示させることを特徴とする。
【０００８】
本発明の制御装置の制御方法は、制御側表示部を備えた制御装置において、互いに異なる特定情報が設定された複数の被制御装置に対し、特定情報に応じて互いに異なる被制御側標識を表示するトリガーとなる信号を送信するステップと、被制御装置ごとに、被制御装置の特定情報および特定情報に基づく情報の少なくとも一方が含まれる被制御装置情報を取得するステップと、取得した複数の被制御装置情報に基づいて、複数の被制御装置に対応した複数の制御側標識を、それぞれ対応する被制御装置に表示された被制御側標識に対応した態様で、制御側表示部に表示させるステップと、を備えたことを特徴とする。
【０００９】
本発明のプログラムは、制御側表示部を備えた制御装置のプロセッサーに、互いに異なる特定情報が設定された複数の被制御装置に対し、特定情報に応じて互いに異なる被制御側標識を表示するトリガーとなる信号を送信するステップと、被制御装置ごとに、被制御装置の特定情報および特定情報に基づく情報の少なくとも一方が含まれる被制御装置情報を取得するステップと、取得した複数の被制御装置情報に基づいて、複数の被制御装置に対応した複数の制御側標識を、それぞれ対応する被制御装置に表示された被制御側標識に対応した態様で、制御側表示部に表示させるステップと、を実行させることを特徴とする。また、本発明の記憶媒体は、上記のプログラムを記憶したものである。
【００１０】
本発明の被制御装置は、被制御側表示部と、被制御側制御部と、を備え、被制御側制御部は、自装置の特定情報に基づいて、特定情報に応じた被制御側標識を被制御側表示部に表示させ、制御装置に対し、特定情報および特定情報に基づく情報の少なくとも一方が含まれる被制御装置情報を供給することを特徴とする。
【図面の簡単な説明】
【００１１】
【図１】マルチルームスピーカーシステムの概略構成を示す図である。
【図２】スピーカー装置のハードウェア構成を示すブロック図である。
【図３】スマートフォンのハードウェア構成を示すブロック図である。
【図４】被制御側標識情報テーブルを示す図である。
【図５】制御側標識情報テーブルを示す図である。
【図６】スピーカー選択処理の流れを示すフローチャートである。
【図７】スピーカー装置に表示される被制御側標識と、スマートフォンに表示される制御側標識とについて説明するための図である。
【図８】スピーカー装置からスマートフォンに送信される被制御装置情報の変形例を示す図である。
【図９】スマートフォンに表示される制御側標識の変形例を示す図である。
【発明を実施するための形態】
【００１２】
以下、本発明の制御装置、制御装置の制御方法、プログラム、記憶媒体および被制御装置の実施形態について説明する。本実施形態では、被制御装置の一例であるスピーカー装置と、制御装置の一例であるスマートフォンとを備えたマルチルームスピーカーシステムを例に挙げて説明する。
【００１３】
図１に基づいて、マルチルームスピーカーシステムＳｙの概略構成について説明する。マルチルームスピーカーシステムＳｙは、複数（図示では４台）のスピーカー装置１と、スマートフォン２とを備えている。スピーカー装置１とスマートフォン２とは、ネットワークＮＷ（例えば、ＬＡＮ（Local Area Network））を介して接続されている。
【００１４】
複数のスピーカー装置１は、第１スピーカー装置１ａ、第２スピーカー装置１ｂ、第３スピーカー装置１ｃおよび第４スピーカー装置１ｄにより構成される。ここで、スピーカー装置１に設定されたＩＰアドレス（Internet Protocol Address）の第４オクテットの数値（１から２５５までの数値）を、特定情報という。複数のスピーカー装置１には、互いに異なる特定情報が設定されている。複数のスピーカー装置１は、同一の機種である。なお、複数のスピーカー装置１は、通常、複数の部屋（例えば、リビング、キッチン、寝室など）に分散して設置されるが、単一の部屋に設置されても構わない。また、スピーカー装置１は、屋内に限らず、屋外に設置されてもよい。
【００１５】
複数のスピーカー装置１は、スマートフォン２により個別に制御され、スマートフォン２或いはネットワークＮＷに接続された他の装置（以下「外部装置」という。）から入力した音声データに基づいて、音声を出力する。換言すれば、ユーザーは、マルチルームスピーカーシステムＳｙのもとで、スマートフォン２を用いて複数のスピーカー装置１を個別に遠隔操作することで、スマートフォン２或いは外部装置に保存されている音声のなかから所望の音声を、スピーカー装置１に出力させることができる。なお、複数のスピーカー装置１は、同時に同じ音声を出力してもよく、同時に別々の音声を出力してもよい。
【００１６】
スピーカー装置１は、スピーカーユニット１１と、識別ランプ１２とを備えている。スピーカーユニット１１は、スマートフォン２或いは外部装置から入力した音声データに基づいて、音声を出力する。識別ランプ１２は、被制御側標識１０（図７参照）を表示する。
【００１７】
スマートフォン２は、ネットワークＮＷを介して、スピーカー装置１に対して各種の制御信号等を送信することにより、スピーカー装置１を制御（換言すれば、遠隔操作）する。また、スマートフォン２は、ネットワークＮＷを介して、スピーカー装置１から各種のデータ等を受信する。スマートフォン２には、スピーカー装置１を制御するためのアプリケーションプログラム（以下「スピーカー制御アプリ」という。）がインストールされている。
【００１８】
スマートフォン２は、ディスプレイ２１を備えている。ディスプレイ２１は、カラー表示可能であり、後述するスピーカー選択画面Ｄ（図７参照）などの各種画面を表示する。ディスプレイ２１としては、例えば、液晶ディスプレイ、有機ＥＬ（Electro Luminescence）ディスプレイを用いることができる。
【００１９】
図２に基づいて、スピーカー装置１のハードウェア構成について説明する。スピーカー装置１は、上記のスピーカーユニット１１および識別ランプ１２のほか、被制御側通信回路１３と、被制御側制御回路１４と、被制御側メモリー１５とを備えている。
【００２０】
識別ランプ１２は、３色のランプ、すなわち、赤色ランプ１２Ｒと、緑色ランプ１２Ｇと、青色ランプ１２Ｂとを備えている。赤色ランプ１２Ｒ、緑色ランプ１２Ｇおよび青色ランプ１２Ｂは、個別に輝度を変更することができる。これにより、識別ランプ１２は、発光色を変更することができる。赤色ランプ１２Ｒ、緑色ランプ１２Ｇおよび青色ランプ１２Ｂとしては、例えば、ＬＥＤ（Light Emitting Diode）ランプを用いることができる。
【００２１】
被制御側通信回路１３は、ネットワークＮＷを介して、各種装置（本実施形態では、スマートフォン２）と通信するための回路である。例えば、被制御側通信回路１３は、スマートフォン２から検索信号を受信すると、スマートフォン２に対し、被制御装置情報を送信する。被制御装置情報には、スピーカー装置１のＩＰアドレス、機種名情報などが含まれる。被制御側通信回路１３の通信方式は、特に限定されるものではなく、例えば、ＩＥＥＥ８０２．１１或いはＢｌｕｅｔｏｏｔｈ（登録商標）などの無線通信方式を用いてもよく、イーサネット（登録商標）などの有線通信方式を用いてもよい。
【００２２】
被制御側制御回路１４は、ＣＰＵ１４１と、ＲＡＭ１４２とを備えている。被制御側メモリー１５には、スピーカー装置１のＩＰアドレス、機種名情報、後述する被制御側標識情報テーブルＴ１（図４参照）などの各種データ、および各種プログラムが記憶されている。ＣＰＵ１４１は、被制御側メモリー１５に記憶されたデータおよびプログラムを読み出し、ＲＡＭ１４２を用いて各種演算処理を実行する。被制御側メモリー１５としては、例えば、フラッシュメモリーを用いることができる。
【００２３】
図３に基づいて、スマートフォン２のハードウェア構成について説明する。スマートフォン２は、上記のディスプレイ２１のほか、タッチパネル２２と、制御側通信回路２３と、制御側制御回路２４と、制御側メモリー２５とを備えている。
【００２４】
タッチパネル２２は、ディスプレイ２１上に重ねて設けられ、ユーザーによるタッチ操作を検出する。
【００２５】
制御側通信回路２３は、ネットワークＮＷを介して、各種装置（本実施形態では、スピーカー装置１）と通信するための回路である。例えば、制御側通信回路２３は、スピーカー装置１に対し、検索信号を送信し、また、検索信号を受信したスピーカー装置１から、被制御装置情報を受信する。制御側通信回路２３の通信方式は、被制御側通信回路１３と同様に、特に限定されるものではなく、例えば、ＩＥＥＥ８０２．１１或いはＢｌｕｅｔｏｏｔｈなどの無線通信方式を用いてもよく、イーサネットなどの有線通信方式を用いてもよい。
【００２６】
制御側制御回路２４は、ＣＰＵ２４１（Central Processing Unit）と、ＲＡＭ２４２（Random Access Memory）とを備えている。制御側メモリー２５には、各種データおよび上記のスピーカー制御アプリ等の各種プログラムが記憶されている。ＣＰＵ２４１は、制御側メモリー２５に記憶されたデータおよびプログラムを読み出し、ＲＡＭ２４２を用いて各種演算処理を実行する。なお、スピーカー制御アプリには、後述する制御側標識情報テーブルＴ２（図５参照）が含まれる。制御側メモリー２５としては、例えば、フラッシュメモリーを用いることができる。
【００２７】
図４に基づいて、スピーカー装置１に記憶された被制御側標識情報テーブルＴ１について説明する。被制御側標識情報テーブルＴ１では、特定情報と、被制御側標識情報とが関連付けられている。すなわち、被制御側標識情報テーブルＴ１では、特定情報ごとに、互いに異なる被制御側標識情報が設定されている。
【００２８】
被制御側標識情報は、識別ランプ１２に表示される被制御側標識１０の表示態様を決定するものである。被制御側標識情報には、カラーコードおよび点滅パターン情報が含まれる。
【００２９】
カラーコードは、被制御側標識１０の表示態様のうち、被制御側標識１０の色を決定するものである。すなわち、被制御側制御回路１４は、識別ランプ１２がカラーコードに対応した発光色で発光するように、識別ランプ１２を制御する。より具体的には、被制御側制御回路１４は、赤色ランプ１２Ｒ、緑色ランプ１２Ｇおよび青色ランプ１２Ｂが、カラーコードに対応した輝度で発光するように、各ランプを制御する。
【００３０】
点滅パターン情報は、被制御側標識１０の表示態様のうち、被制御側標識１０の点滅パターンを決定するものである。すなわち、被制御側制御回路１４は、点滅パターン情報が「０」の場合には、識別ランプ１２が点滅することなく発光するように、識別ランプ１２を制御し、点滅パターン情報が「１」の場合には、識別ランプ１２が点滅しながら発光するように、識別ランプ１２を制御する。
【００３１】
複数のスピーカー装置１には、いずれも同じ内容の被制御側標識情報テーブルＴ１が記憶されている。すなわち、一のスピーカー装置１に記憶された被制御側標識情報テーブルＴ１において、ある特定情報に関連付けられた被制御側標識情報は、他のスピーカー装置１に記憶された被制御側標識情報テーブルＴ１において、その特定情報に関連付けられた被制御側標識情報と同じ内容である。
【００３２】
図５に基づいて、スマートフォン２に記憶された制御側標識情報テーブルＴ２について説明する。制御側標識情報テーブルＴ２は、上記の被制御側標識情報テーブルＴ１と同様に構成されている。すなわち、制御側標識情報テーブルＴ２では、特定情報と関連付けられた情報を、被制御側標識情報テーブルＴ１とは異なり、「被制御側標識情報」ではなく「制御側標識情報」と呼ぶが、呼び方が異なるだけであり、その内容は「被制御側標識情報」と異ならない。このため、制御側標識情報テーブルＴ２において、ある特定情報に関連付けられた制御側標識情報は、被制御側標識情報テーブルＴ１において、その特定情報に関連付けられた被制御側標識情報と同じ内容である。
【００３３】
制御側標識情報は、スピーカー選択画面Ｄに表示される制御側標識２０（図７参照）の表示態様を決定するものである。制御側標識情報には、カラーコードおよび点滅パターン情報が含まれる。
【００３４】
カラーコードは、制御側標識２０の表示態様のうち、制御側標識２０の色を決定するものである。すなわち、制御側制御回路２４は、制御側標識２０がカラーコードに対応した発光色で発光するように、ディスプレイ２１を制御する。
【００３５】
点滅パターン情報は、制御側標識２０の表示態様のうち、制御側標識２０の点滅パターンを決定するものである。すなわち、制御側制御回路２４は、点滅パターン情報が「０」の場合には、制御側標識２０が点滅することなく発光するように、ディスプレイ２１を制御し、点滅パターン情報が「１」の場合には、制御側標識２０が点滅しながら発光するように、ディスプレイ２１を制御する。
【００３６】
図６に基づいて、スピーカー装置１およびスマートフォン２が実行するスピーカー選択処理について説明する。このスピーカー選択処理は、複数のスピーカー装置１のなかから、スマートフォン２による制御対象となるスピーカー装置１を選択する選択操作に関する処理である。スピーカー選択処理は、スピーカー装置１において、被制御側制御回路１４がプログラムを実行することにより、また、スマートフォン２において、制御側制御回路２４がスピーカー制御アプリを実行することにより、行われる。なお、図６では、図示の都合上、複数のスピーカー装置１のうち、第１スピーカー装置１ａおよび第２スピーカー装置１ｂのみを示すが、他のスピーカー装置１においても、同様の処理が行われる。
【００３７】
ステップＳ０１では、制御側制御回路２４は、制御側通信回路２３を介して、検索信号を複数のスピーカー装置１に送信する。
【００３８】
ステップＳ０２において、被制御側制御回路１４が、スマートフォン２から送信された検索信号を、被制御側通信回路１３を介して受信すると、ステップＳ０３に進む。
【００３９】
ステップＳ０３では、被制御側制御回路１４は、被制御側標識情報テーブルＴ１を参照し、被制御側メモリー１５に記憶された特定情報と関連付けられた被制御側標識情報を取得する。
【００４０】
ステップＳ０４では、被制御側制御回路１４は、取得した被制御側標識情報に基づいて、識別ランプ１２を制御する。ここで、上述したように、複数のスピーカー装置１には、互いに異なる特定情報が設定されている。また、被制御側標識情報テーブルＴ１では、特定情報ごとに、互いに異なる被制御側標識情報が設定されている。このため、複数のスピーカー装置１に備えられた複数の識別ランプ１２は、特定情報に応じて互いに異なる被制御側標識１０を表示する（図７参照）。
【００４１】
ステップＳ０５では、被制御側制御回路１４は、被制御側通信回路１３を介して、被制御装置情報をスマートフォン２に送信する。
【００４２】
制御側制御回路２４は、検索信号を複数のスピーカー装置１に送信した後（Ｓ０１）、ステップＳ０６において、各スピーカー装置１から送信された被制御装置情報を、制御側通信回路２３を介して受信すると、ステップＳ０７に進む。
【００４３】
ステップＳ０７では、制御側制御回路２４は、制御側標識情報テーブルＴ２を参照し、スピーカー装置１から受信した被制御装置情報に含まれる特定情報に基づいて、制御側標識情報を取得する。上述したように、制御側標識情報テーブルＴ２は、被制御側標識情報テーブルＴ１と同様に構成されているため、取得される制御側標識情報は、対応したスピーカー装置１において取得された被制御側標識情報と、同じ内容となる。例えば、第１スピーカー装置１ａから受信した被制御装置情報に含まれる特定情報に基づいて取得される制御側標識情報は、第１スピーカー装置１ａにおいて取得された被制御側標識情報と、同じ内容となる。
【００４４】
ステップＳ０８では、制御側制御回路２４は、取得した複数の制御側標識情報に基づいて、ディスプレイ２１を制御する。これにより、ディスプレイ２１にスピーカー選択画面Ｄが表示され、スピーカー選択画面Ｄには、複数のスピーカー装置１に対応した複数の制御側標識２０が表示される。このとき、上述したように、制御側標識情報は、対応したスピーカー装置１において取得された被制御側標識情報と同じ内容であるため、制御側標識２０は、対応したスピーカー装置１の識別ランプ１２に表示された被制御側標識１０と同じ態様で表示される（図７参照）。
【００４５】
ステップＳ０９において、ユーザーにより、スピーカー選択画面Ｄに表示された複数の制御側標識２０を用いて複数のスピーカー装置１から所望のスピーカー装置１を選択する選択操作（例えば、制御側標識２０に対するタッチ操作）が行われると、制御側制御回路２４は、制御対象となるスピーカー装置１を選択し、ステップＳ１０に進む。
【００４６】
ステップＳ１０では、制御側制御回路２４は、制御側通信回路２３を介して、表示停止信号を複数のスピーカー装置１に送信する。
【００４７】
被制御側制御回路１４は、被制御装置情報をスマートフォン２に送信した後（Ｓ０５）、ステップＳ１１において、スマートフォン２から送信された表示停止信号を、被制御側通信回路１３を介して受信すると、ステップＳ１２に進む。
【００４８】
Ｓ１２では、被制御側制御回路１４は、識別ランプ１２が被制御側標識１０の表示を停止するように、識別ランプ１２を制御する。これにより、識別ランプ１２は、被制御側標識１０の表示を停止する。
【００４９】
制御側制御回路２４は、表示停止信号を複数のスピーカー装置１に送信した後（Ｓ１０）、ステップＳ１３において、スピーカー操作画面（図示省略）をディスプレイ２１に表示させる。ユーザーは、スピーカー操作画面に表示された、電源ボタン、再生ボタン等の各種アイコンに対する操作を行うことで、ステップＳ０９において制御対象として選択されたスピーカー装置１を、遠隔操作することができる。また、スピーカー操作画面には、スピーカー選択画面Ｄに戻るための戻りボタンが表示される。
【００５０】
ステップＳ１４において、制御側制御回路２４は、ユーザーにより戻りボタンが操作されると、ステップＳ１５に進む。
【００５１】
ステップＳ１５では、制御側制御回路２４は、制御側通信回路２３を介して、表示再開信号を複数のスピーカー装置１に送信する。その後、制御側制御回路２４は、ステップＳ０８に戻り、ディスプレイ２１にスピーカー選択画面Ｄを表示させる。なお、スピーカー選択画面Ｄに戻った場合に、複数の制御側標識２０は、スピーカー操作画面に進む前と同じ態様で表示される。
【００５２】
被制御側制御回路１４は、被制御側標識１０の表示を停止した後（Ｓ１２）、ステップＳ１６において、スマートフォン２から送信された表示再開信号を、被制御側通信回路１３を介して受信すると、ステップＳ１７に進む。
【００５３】
Ｓ１７では、被制御側制御回路１４は、識別ランプ１２が被制御側標識１０の表示を再開するように、識別ランプ１２を制御する。これにより、識別ランプ１２は、被制御側標識１０の表示を再開する。なお、表示を再開した場合に、被制御側標識１０は、表示停止前と同じ態様で表示される。
【００５４】
図７に基づいて、スピーカー装置１に表示される被制御側標識１０と、スマートフォン２に表示される制御側標識２０について、より具体的に説明する。ここでは、第１スピーカー装置１ａ、第２スピーカー装置１ｂ、第３スピーカー装置１ｃおよび第４スピーカー装置１ｄに、それぞれ、特定情報「２」、「４」、「５」および「１４」が設定されている場合を例に挙げて、説明する。
【００５５】
この場合、第１スピーカー装置１ａでは、被制御側制御回路１４は、被制御側標識情報テーブルＴ１において第１スピーカー装置１ａの特定情報「２」と関連付けられた被制御側標識情報、すなわち、カラーコード「００ＦＦ００」および点滅パターン情報「０」を取得する。このため、被制御側制御回路１４は、識別ランプ１２が、カラーコード「００ＦＦ００」に対応した発光色すなわち黄緑色で、且つ、点滅パターン情報「０」に対応した点滅パターンすなわち非点滅光として、発光するように識別ランプ１２を制御する。その結果、第１スピーカー装置１ａの識別ランプ１２には、被制御側標識１０が、黄緑色の非点滅光（図７では、斜線模様で示す）として表示される。
【００５６】
第２スピーカー装置１ｂ、第３スピーカー装置１ｃおよび第４スピーカー装置１ｄにおいても、被制御側制御回路１４は、第１スピーカー装置１ａの被制御側制御回路１４と同様にして、識別ランプ１２を制御する。その結果、特定情報「４」が設定された第２スピーカー装置１ｂの識別ランプ１２には、被制御側標識１０が、濃い桃色の非点滅光（図７では、黒色の塗りつぶしで示す）として表示される。特定情報「５」が設定された第３スピーカー装置１ｃの識別ランプ１２には、被制御側標識１０が、水色の非点滅光（図７では、ドット模様で示す）として表示される。特定情報「１４」が設定された第４スピーカー装置１ｄの識別ランプ１２には、被制御側標識１０が、黄緑色の点滅光（図７では、斜線模様に放射状の線を付して示す）として表示される。
【００５７】
このように、第１スピーカー装置１ａ、第２スピーカー装置１ｂ、第３スピーカー装置１ｃおよび第４スピーカー装置１ｄに備えられた４つの識別ランプ１２には、特定情報に応じて、色および点滅パターンの少なくとも一方が互いに異なる被制御側標識１０が表示される。
【００５８】
一方、スマートフォン２において、ディスプレイ２１には、第１スピーカー装置１ａ、第２スピーカー装置１ｂ、第３スピーカー装置１ｃおよび第４スピーカー装置１ｄに対応して、４つの制御側標識２０が表示される。本実施形態では、図面上側から１番目の制御側標識２０が、第１スピーカー装置１ａに対応し、上側から２番目の制御側標識２０が、第２スピーカー装置１ｂに対応し、上側から３番目の制御側標識２０が、第３スピーカー装置１ｃに対応し、上側から４番目の制御側標識２０が、第４スピーカー装置１ｄに対応しているが、その並び順は、特に限定されるものではない。なお、ユーザーは、上側から何番目の制御側標識２０が、いずれのスピーカー装置１に対応するかを、通常把握していない。
【００５９】
制御側制御回路２４は、第１スピーカー装置１ａから被制御装置情報を受信すると、制御側標識情報テーブルＴ２を参照し、その被制御装置情報に含まれる特定情報「２」と関連付けられた制御側標識情報、すなわち、カラーコード「００ＦＦ００」および点滅パターン情報「０」を取得する。この制御側標識情報は、第１スピーカー装置１ａにおいて取得された被制御側標識情報と同じ内容である。このため、制御側制御回路２４は、スピーカー選択画面Ｄにおいて、第１スピーカー装置１ａに対応した制御側標識２０が、カラーコード「００ＦＦ００」に対応した発光色すなわち黄緑色で、且つ、点滅パターン情報「０」に対応した点滅パターンすなわち非点滅光として、発光するように、ディスプレイ２１を制御する。その結果、スピーカー選択画面Ｄには、第１スピーカー装置１ａに対応した制御側標識２０が、第１スピーカー装置１ａの識別ランプ１２に表示された被制御側標識１０と同様に、黄緑色の非点滅光として表示される。
【００６０】
制御側制御回路２４は、第２スピーカー装置１ｂ、第３スピーカー装置１ｃ或いは第４スピーカー装置１ｄから受信した被制御装置情報についても、第１スピーカー装置１ａから受信した被制御装置情報と同様にして、ディスプレイ２１を制御する。その結果、第２スピーカー装置１ｂに対応した制御側標識２０が、第２スピーカー装置１ｂの識別ランプ１２に表示された被制御側標識１０と同様に、濃い桃色の非点滅光として表示される。第３スピーカー装置１ｃに対応した制御側標識２０が、第３スピーカー装置１ｃの識別ランプ１２に表示された被制御側標識１０と同様に、水色の非点滅光として表示される。第４スピーカー装置１ｄに対応した制御側標識２０が、第４スピーカー装置１ｄの識別ランプ１２に表示された被制御側標識１０と同様に、黄緑色の点滅光として表示される。
【００６１】
このように、ディスプレイ２１には、各制御側標識２０が、対応するスピーカー装置１に表示された被制御側標識１０と、同じ色および同じ点滅パターンで表示される。このため、スマートフォン２は、ユーザーに対して、どの制御側標識２０が、どのスピーカー装置１に対応しているかを明確に示すことができ、ユーザーは、所望のスピーカー装置１を容易に選択することができる。例えば、ユーザーが第１スピーカー装置１ａを選択したい場合、ユーザーは、スピーカー選択画面Ｄに表示された４つの制御側標識２０のうち、第１スピーカー装置１ａの識別ランプ１２に表示されている被制御側標識１０と同じ態様で表示されている制御側標識２０、すなわち黄緑色の非点滅光として表示されている制御側標識２０を選択すればよい。
【００６２】
なお、スピーカー選択画面Ｄには、被制御装置情報に含まれる機種名情報に基づいて、制御側標識２０と関連付けて、その制御側標識２０に対応したスピーカー装置１の機種名を意味する機種名表示２６が表示される。例えば、第１スピーカー装置１ａに対応した制御側標識２０には、第１スピーカー装置１ａの機種名を意味する機種名表示２６が表示される。本実施形態では、上述したように、複数のスピーカー装置１は、同一の機種により構成されているため、スピーカー選択画面Ｄに表示される複数の機種名表示２６は、いずれも同じものとなる。
【００６３】
以上のように、本実施形態のスマートフォン２は、ディスプレイ２１と、制御側制御回路２４とを備えている。制御側制御回路２４は、互いに異なる特定情報が設定された複数のスピーカー装置１に対し、特定情報に応じて互いに異なる被制御側標識１０を表示させるトリガーとなる検索信号を送信する。また、制御側制御回路２４は、スピーカー装置１ごとに、特定情報が含まれる被制御装置情報を取得する。さらに、制御側制御回路２４は、取得した複数の被制御装置情報に基づいて、複数のスピーカー装置１に対応した複数の制御側標識２０を、それぞれ対応するスピーカー装置１に表示された被制御側標識１０に対応した態様で、ディスプレイ２１に表示させる。
【００６４】
また、本実施形態のスマートフォン２の制御方法は、ディスプレイ２１を備えたスマートフォン２において、以下のステップを備えている。同様に、本実施形態のスピーカー制御アプリは、ディスプレイ２１を備えたスマートフォン２のＣＰＵ２４１に、以下のステップを実行させる。
互いに異なる特定情報が設定された複数のスピーカー装置１に対し、特定情報に応じて互いに異なる被制御側標識１０を表示するトリガーとなる検索信号を送信するステップ。
スピーカー装置１ごとに、特定情報が含まれる被制御装置情報を取得するステップ。
取得した複数の被制御装置情報に基づいて、複数のスピーカー装置１に対応した複数の制御側標識２０を、それぞれ対応するスピーカー装置１に表示された被制御側標識１０に対応した態様で、ディスプレイ２１に表示させるステップ。
【００６５】
この構成によれば、検索信号を受信した複数のスピーカー装置１には、特定情報に応じて互いに異なる被制御側標識１０が表示される。また、スマートフォン２のディスプレイ２１には、各スピーカー装置１から取得された複数の被制御装置情報に基づいて、複数のスピーカー装置１に対応した複数の制御側標識２０が、それぞれ対応するスピーカー装置１に表示された被制御側標識１０に対応した態様で表示される。したがって、複雑な処理を行うことなく、複数のスピーカー装置１が互いに異なる被制御側標識１０を表示することができ、また、スマートフォン２が複数の制御側標識２０をそれぞれ対応するスピーカー装置１に表示された被制御側標識１０に対応した態様で表示することができる。
【００６６】
本実施形態では、複数の被制御側標識１０には、互いに色が異なるものが含まれる。また、複数の被制御側標識１０には、互いに点滅パターンが異なるものが含まれる。このため、複数の被制御側標識１０を、ユーザーに容易に見分けさせることができる。
【００６７】
本実施形態では、制御側制御回路２４は、制御側標識２０と関連付けて、その制御側標識２０に対応したスピーカー装置１の機種名を意味する機種名表示２６をディスプレイ２１に表示させる。このため、制御側標識２０に対応したスピーカー装置１の機種名を、ユーザーに認識させることができる。
【００６８】
本実施形態では、制御側制御回路２４は、ディスプレイ２１に表示された複数の制御側標識２０を用いて複数のスピーカー装置１から所望のスピーカー装置１を選択する選択操作に基づいて、制御対象となるスピーカー装置１を選択する。このため、ユーザーは、所望のスピーカー装置１の識別ランプ１２に表示されている被制御側標識１０に対応した制御側標識２０を目印として選択操作を行うことで、そのスピーカー装置１を制御対象として容易に選択することができる。
【００６９】
本実施形態では、制御側制御回路２４は、スピーカー装置１を選択する選択操作に基づいて、スピーカー装置１に対し、被制御側標識１０の表示を停止させる表示停止信号を送信する。このため、スマートフォン２に対してスピーカー装置１を選択する選択操作が行われると、スピーカー装置１の識別ランプ１２は、被制御側標識１０の表示を停止する。これにより、スピーカー装置１の選択操作が行われた後、識別ランプ１２が被制御側標識１０を無駄に表示することを抑制することができる。
【００７０】
本実施形態では、スピーカー装置１において、特定情報に基づいて、被制御側標識情報が取得され、取得された被制御側標識情報に基づいて、被制御側標識１０が表示される。そして、制御側制御回路２４は、スピーカー装置１から取得した被制御装置情報に含まれる特定情報に基づいて、被制御側標識情報と同じ内容の制御側標識情報を取得する。制御側制御回路２４は、取得した制御側標識情報に基づいて、ディスプレイ２１を制御する。これにより、ディスプレイ２１には、複数の制御側標識２０が、それぞれ対応するスピーカー装置１に表示された被制御側標識１０に対応した態様で表示される。
【００７１】
また、本実施形態のスピーカー装置１は、識別ランプ１２と、被制御側制御回路１４とを備えている。被制御側制御回路１４は、自装置の特定情報に基づいて、特定情報に応じた被制御側標識１０を識別ランプ１２に表示させる。また、被制御側制御回路１４は、スマートフォン２に対し、特定情報が含まれる被制御装置情報を供給する。
【００７２】
この構成によれば、複数のスピーカー装置１に互いに異なる特定情報が設定されている場合、複数のスピーカー装置１に備えられた複数の識別ランプ１２には、特定情報に応じて互いに異なる被制御側標識１０が表示される。また、スマートフォン２が、複数のスピーカー装置１に対応した複数の制御側標識２０を、各スピーカー装置１から取得した被制御装置情報に基づいて、表示する場合、スマートフォン２には、複数の制御側標識２０が、それぞれ対応するスピーカー装置１に表示された被制御側標識１０に対応した態様で、表示される。したがって、複雑な処理を行うことなく、複数のスピーカー装置１が互いに異なる被制御側標識１０を表示することができ、また、スマートフォン２が複数の制御側標識２０をそれぞれ対応するスピーカー装置１に表示された被制御側標識１０に対応した態様で表示することができる。
【００７３】
本実施形態では、スマートフォン２において、スピーカー装置１から取得した被制御装置情報に含まれる特定情報に基づいて、制御側標識情報が取得され、取得された制御側標識情報に基づいて、制御側標識２０が表示される。一方、スピーカー装置１では、被制御側制御回路１４が、特定情報に基づいて、制御側標識情報と同じ内容の被制御側標識情報を取得する。被制御側制御回路１４は、取得した被制御側標識情報に基づいて、識別ランプ１２を制御する。これにより、識別ランプ１２には、被制御側標識１０が、制御側標識２０と同じ態様で表示される。
【００７４】
なお、識別ランプ１２は、本発明の「被制御側表示部」の一例である。被制御側制御回路１４は、本発明の「被制御側制御部」の一例である。ディスプレイ２１は、本発明の「制御側表示部」の一例である。制御側制御回路２４は、本発明の「制御側制御部」の一例である。ＣＰＵ２４１は、本発明の「プロセッサー」の一例である。スピーカー制御アプリは、本発明の「プログラム」の一例である。
【００７５】
本発明は、本実施形態に限定されず、その趣旨を逸脱しない範囲で種々の構成を採用可能であることは言うまでもない。例えば、本実施形態は、上述したほか、以下のような形態に変更することができる。
【００７６】
特定情報としては、ＩＰアドレスの第４オクテットの数値に限らず、例えば、ＩＰアドレスの全体を用いてもよく、また、ＭＡＣアドレス（Media Access Control Address）の一部或いは全体を用いてもよい。
【００７７】
図８に示すように、スピーカー装置１からスマートフォン２に送信される被制御装置情報には、ＩＰアドレスおよび機種名情報のほか、被制御側標識情報が含まれてもよい。この被制御側標識情報は、上述したように、スピーカー装置１において、特定情報に基づいて取得された情報であり、カラーコードおよび点滅パターン情報が含まれる。そして、制御側制御回路２４は、スピーカー装置１から取得した被制御装置情報に含まれる被制御側標識情報を制御側標識情報とし、その制御側標識情報に基づいてディスプレイ２１を制御してもよい。この場合も、本実施形態と同様に、複数の制御側標識２０を、それぞれ対応するスピーカー装置１に表示された被制御側標識１０に対応した態様で、ディスプレイ２１に表示させることができる。
【００７８】
制御側標識２０は、被制御側標識１０と同じ態様で表示される構成に限定されるものではなく、制御側標識２０がいずれの被制御側標識１０と対応しているかを示す態様であればよい。例えば、図９に示すように、制御側標識２０が、被制御側標識１０の色および点滅パターンを意味する文字として表示されてもよい。具体的には、第１スピーカー装置１ａの識別ランプ１２に、被制御側標識１０が、黄緑色の非点滅光として表示される場合、第１スピーカー装置１ａに対応した制御側標識２０は、「黄緑色の非点滅光」という文字として表示されてもよい。この場合、スマートフォン２は、制御側標識情報を文字に変換するテーブルを備えていればよい。
【００７９】
複数の被制御側標識１０は、色および点滅パターンの少なくとも一方が互いに異なる構成に限定されるものではなく、色のみが互いに異なってもよく、点滅パターンのみが互いに異なってもよい。点滅パターンのみが互いに異なる場合、点滅パターンは、点滅するか否かの２パターンのみならず、点滅するパターンのなかに、例えば点灯時間および消灯時間が異なる複数のパターンがあることが好ましい。さらに、スピーカー装置１が、例えば液晶ディスプレイのように、文字、記号或いは図形等を表示可能な被制御側表示部を備える場合、複数の被制御側標識１０は、文字、記号或いは図形等が互いに異なってもよい。すなわち、被制御側標識１０は、所定色の非点滅光或いは点滅光に限らず、文字、記号或いは図形等により構成されてもよい。
【００８０】
被制御側標識１０を表示する被制御側表示部としては、識別ランプ１２に限定されるものではなく、例えば、上述したように、液晶ディスプレイでもよく、有機ＥＬディスプレイでもよい。
【００８１】
複数の制御側標識２０を表示する制御側表示部としては、ディスプレイ２１に限定されるものではなく、例えば、複数のランプにより構成されてもよい。この場合、複数のランプに対応した複数の選択ボタンを設け、その選択ボタンを押すことにより、所望のスピーカー装置１を選択可能な構成とすることが好ましい。
【００８２】
複数のスピーカー装置１は、同一の機種で構成されることに限定されるものではなく、別々の機種で構成されてもよい。もっとも、本実施形態にように、制御側標識２０に関連付けて機種名表示２６が表示される場合には、複数のスピーカー装置１が別々の機種で構成されると、複数の機種名表示２６も別々になるため、ユーザーは、所望のスピーカー装置１の機種名を知っていれば、機種名表示２６によっても、所望のスピーカー装置１を選択することができる。これに対し、複数のスピーカー装置１が同一の機種で構成されると、上述したように、複数の機種名表示２６はいずれも同じになるため、ユーザーは、機種名表示２６によっては、所望のスピーカー装置１を選択することができないことから、本発明が特に有用である。
【００８３】
スピーカー選択画面Ｄにおいて、制御側標識２０に対し、機種名表示２６のほか、ユーザーが所望の情報を関連付けて表示可能な構成でもよい。例えば、制御側標識２０に対し、スピーカー装置１が設置されている部屋の写真画像を関連付けて表示してもよい。この場合、写真画像は、その写真画像に関連付けて表示された制御側標識２０が、いずれの部屋に設置されたスピーカー装置１に対応しているかを示す目印として機能する。なお、関連付けて表示される写真画像は、制御アプリにあらかじめ用意された写真画像や、スマートフォン２に保存されている写真画像のなかから選択されたものでもよく、スマートフォン２のカメラ機能を使って撮影した写真画像をそのまま適用したものでもよい。
【００８４】
識別ランプ１２が被制御側標識１０を表示するトリガーとなる信号としては、検索信号に限定されるものではなく、例えば、スピーカー制御アプリの起動中に、所定の操作が行われた場合に、スマートフォン２からスピーカー装置１に送信される信号であってもよい。
【００８５】
本発明の「制御装置」は、スマートフォン２に限らず、例えば、タブレット端末或いはパソコンでもよい。また、本発明の「被制御装置」は、スピーカー装置１に限定されるものではなく、例えば、テレビジョン受信機、録画再生装置或いはエアコンディショナーでもよい。また、本発明の「プログラム」を、コンピューターで読取り可能な記憶媒体（ＣＤ−ＲＯＭ、フラッシュメモリー等）に格納して提供してもよい。
【符号の説明】
【００８６】
１…スピーカー装置、１ａ…第１スピーカー装置、１ｂ…第２スピーカー装置、１ｃ…第３スピーカー装置、１ｄ…第４スピーカー装置、２…スマートフォン、１０…被制御側標識、１１…スピーカーユニット、１２…識別ランプ、２０…制御側標識、２１…ディスプレイ、２６…機種名表示、Ｄ…スピーカー選択画面、ＮＷ…ネットワーク、Ｓｙ…マルチルームスピーカーシステム
【図１】
2019041156.tif 000003
【図２】
2019041156.tif 000004
【図３】
2019041156.tif 000005
【図４】
2019041156.tif 000006
【図５】
2019041156.tif 000007
【図６】
2019041156.tif 000008
【図７】
2019041156.tif 000009
【図８】
2019041156.tif 000010
【図９】
2019041156.tif 000011